(57)【要約】      （修正有）【課題】切り取ってそのまま使えるとともに、安価で、かつ形も機能的でシンプルな切り取り型つま楊枝を提供する。【解決手段】薄くても適度な腰の強さと弾性を有する矩形状の合成樹脂製の基板２の一方側に、つま楊枝片３の中ほどは平行で幅広な軸部４とし、その軸部４の上部から左上方に細くなる掻き出し部５を設けるとともに、対向側の軸部４の下部からは、前記軸部４と同じ幅で、かつ前記掻き出し部５と反対の右下方に延びるつまみ部６設けたつま楊枝片３を形成し、その隣に、同形状のつま楊枝片を上下逆向きに組み合わせたものを一組として複数組み横配列して成る各つま楊枝片３の外周と、その上下端部から基板２端部に至る線上に、小さな点連結部７を複数箇所残すようにして、刃型による切れ目８を一体に施して成る構成を特徴とする切り取り型つま楊枝１とする。【選択図】図２
0003158688.tif 000002
【実用新案登録請求の範囲】
【請求項１】
薄くても適度な腰の強さと弾性を有する矩形状の合成樹脂板の一方側に、つま楊枝片の中ほどは平行で幅広な軸部とし、その軸部の上部から左上方に円弧状に細くなる掻き出し部を設けるとともに、対向側の軸部の下部からは、前記軸部と同じ幅で、かつ前記掻き出し部と反対の右下方に円弧状を成すつまみ部を設けたつま楊枝片を形成し、その隣に、同形状のつま楊枝片を上下逆向きに組み合わせたものを一組として、複数組みを横配列して成る各つま楊枝片の外周と、そのつま楊枝片の上下端部から基板端部に至る線上に、小さな点連結部を複数箇所残すようにして、刃型による切れ目を一体に施して成る構成を特徴とする切り取り型つま楊枝。
【考案の詳細な説明】
【技術分野】
【０００１】  本考案は、薄い板面に複数枚のつま楊枝片を施すことで、必要な時に任意に切り離してどこでも簡易に使える機能的で、かつ携帯性が高いつま楊枝に関する。
【背景技術】
【０００２】  従来より、食事後に歯の間に詰まった食べカスを除去するには、細い木の棒の一方を尖らせた楊枝が提供され、その楊枝を用いて歯間の食べカスを取り除いている。【０００３】  さらに、硬性のシート状基板を歯型状に切り欠いて櫛歯状に相当する部分をつま楊枝とする端部に、バインダーに装着できる穴を形成したシート状つま楊枝の技術もある。（例えば、特許文献１参照）【０００４】  また、平面加工した素材を、１部を残して三角に切断したシート状のつま楊枝を二つ折りして使用する楊枝の技術もある。（例えば、特許文献２参照）
【先行技術文献】
【特許文献１】公開実用新案平４−３７４１３公報
【特許文献２】特開２００８−６２５８公報
【０００５】
【考案の概要】
【考案が解決しようとする課題】
【０００６】  従来から、一般的に多用されている木の細棒タイプの楊枝は、食卓周りにおいて使うには大変便利であるが、気軽に携帯して会社や旅先で使用するには容器を必要とするので不便であり、また曲がる素材ではないので鏡を見ながら使用する際は指が邪魔になって見ずらかった。【０００７】  また公開実用新案平４−３７４１３公報による技術は、硬性のシート状基板に櫛歯状に切り欠いて数多くの櫛歯部分を設けた一端部にバインダー穴を設けたものであるが、櫛歯は根元から先端まで平行な細板であるので、使用する際に切り取って櫛歯部分をつま楊枝として使うには細いので強度がなく、先端も尖らせていないので食べカスを掻き出しにくいシート状つま楊枝の技術である。【０００８】  さらに特開２００８−６２５８公報に開示される平板状のつま楊枝の技術は、切り離してそのまま使用するには強度が無く、二つ折りして使用する場合は先端を尖らせるように折るのは面倒であり、特に高齢者や子供は二つ折りするのは難しい。また製造においては二つ折りのスジ押し加工が必要であるのでコスト高要因になるなどの不便や欠点がある。
【課題を解決するための手段】
【０００９】    本考案は、従来のようなつま楊枝が持つ不便や欠点を解消するために、請求項１においては、薄くても適度な腰の強さと弾性を有する矩形状の合成樹脂板の一方側に、つま楊枝片の中ほどは平行で幅広な軸部とし、その軸部の上部から左上方に円弧状に細くなる掻き出し部を設けるとともに、対向側の軸部の下部からは、前記軸部と同じ幅で、かつ前記掻き出し部と反対の右下方に円弧状を成すつまみ部を設けたつま楊枝片を形成し、その隣に、同形状のつま楊枝片を上下逆向きに組み合わせたものを一組として複数組み横配列して成る各つま楊枝片の外周と、そのつま楊枝片の上下端部から基板端部に至る線上に、小さな点連結部を複数箇所残すようにして、刃型による切れ目を一体に施して成る切り取り型つま楊枝とすることで、極めてシンプルにして携帯しやすく、かつ使い勝手もよい機能性高いつま楊枝とする。
【考案の効果】
【００１０】  本考案による切り取り型つま楊枝は、名刺ほどの大きさの合成樹脂薄板に切り取り可能な数多くのつま楊枝片を形成したカードタイプを成すので、家庭はもとより、仕事や旅行の際はポケットや財布、名刺入れ等に入れて気軽に携行して使える極めてシンプルにして機能的なつま楊枝を提供できる。【００１１】  また、つま楊枝片は掻き出し部とつまみ部が緩やかに曲げられた今までにないユニークな形状を成すため、薄くても強度を得られるとともに、例えば、鏡を見ながら使用する際に予め好きな角度に曲げても使えるので指が邪魔になることもなく使える。【００１２】  さらに、つまみ部は幅広で持ちやすく、適度な弾性も有するので歯ぐきに触れても傷付ける心配は無いため、女性や高齢者にも優しいつま楊枝として使える。加えて、数多くのつま楊枝片は刃型により一体形成したものであるので、製造コストは極めて安価であり、かつ、基板の余白にロゴマークや企業名などをプリントしたり、つま楊枝片を施した基板中ほどをカラーにしたりイラストを表示すると、従来にはみられない装飾的にして機能的な販促品としても使えるつま楊枝を提供できる。
【図面の簡単な説明】
【００１３】
【図１】本考案によるつま楊枝の実施形態を示す平面図である。
【図２】本考案のつま楊枝片を基板から切り取る状態を示す斜視図である。
【図３】基板から切り取ったつま楊枝片の裏面を示す拡大斜視図である。
【図４】本考案によるつま楊枝片の使用状態を示す参考図である。
【考案を実施するための形態】
【００１４】  本考案の切り取り型つま楊枝の実施形態を、図１の平面図と図２に示すつま楊枝片を基板から切り取る状態を示す斜視図、図３の切り取った楊枝片を示す斜視図及び図４のつま楊枝片の使用状態を示す参考図で説明する。
【００１５】  本考案による切り取り型つま楊枝１の素材は、ポリプロピレン等のように薄くても腰の強さがあり、かつ適度な弾性を有する厚さ約０，５ミリ前後の薄い合成樹脂板とし、その合成樹脂板による名刺大程度の矩形状の基板２面に、外形が直線と曲線の組み合わせで成るつま楊枝片３を複数枚施したものを一枚ずつ切り取って使えるものとする。
【００１６】  以下、その構成を詳細に説明すると、前記する基板２面に施すつま楊枝片３の長さは、基板２の縦の長さより数ミリ程度短いものとし、そのつま楊枝片３の中ほどは、一定の長さ左右が平行で幅広の軸部４を成し、かつその軸部４の上部から左上方向（図面上）に円弧状にして細くなる掻き出し部５を前記軸板２端部近くまで位置するとともに、他方、対向側の軸部４下部からは、前記軸部４と同じ幅で、かつ円弧状を成して前記掻き出し部５とは反対の右下方に延びる部位をつまみ部６とするつま楊枝片３を、前記する基板２の左側に位置する。
【００１７】  次に、以上のように位置したつま楊枝片３の右隣りには、同形状のつま楊枝片３ａを上下逆向きに組み合わせたものを一組とし、それを順次隣合わせに横配列して複数枚のつま楊枝片３，３ａを配して成る各つま楊枝片３，３ａの周囲中ほどの２箇所と、前記する掻き出し部５及び対向するつまみ部６端部から基板２端部まで至る２箇所の線上に、刃を入れない小さな点連結部７，７を残すようにして、刃型による切れ目８，８を一体に施して成る切り取り型つま楊枝１を構成する。
【００１８】  尚、前記する掻き出し部５の右側の円弧とつまみ部６の右側の円弧及び掻き出し部５の左側の円弧とつまみ部６の左側の円弧の度合いは同じとするとともに、図示する掻き出し部５は左上方向に、つまみ部６は右下方向に延長するが、それぞれ逆向きにしても差し支えないものである。
【００１９】  本考案における切り取り型つま楊枝片１は、名刺程度の大きさの薄い合成樹脂材の基板２に、複数枚のつま楊枝片３，３ａを上下を逆に組み合わせたものを横並びに施しているので、一枚の基板２面に数多くのつま楊枝片３，３ａを形成できる。また前記する各つま楊枝片３，３ａの周囲から基板２端部まで切れ目８を入れているが、その途中部位には点連結部７，７を複数箇所に設けているため、携帯時や切り取る際にバラけることはなく、使う時は図２に示すように順次切り取って使えるカードタイプの切り取り型つま楊枝１を構成する。また切り取ったつま楊枝片３の周囲には、僅かに点連結部７の痕が残るが、点連結部７自体もきわめて小さいので、見た目には分からないほどきれいに切り取れる。
【００２０】  本考案は以上のような構成であるが、切り取り型つま楊枝１はポリプロピレン素材が好ましいが、薄くても腰の強さがあり、かつ適度な弾性を有する素材であれば他の素材でも差し支えない。また点連結部７はつま楊枝片３，３ａの左右と基板２の端部寄りに設けているが、その数や場所は特定しないし、掻き出し部５及びつまみ部６端部から基板２端部までの切れ目８は垂直に施しているが斜めでもよく、いずれも特に限定されるものではない。
【符号の説明】
【００２１】１  切り取り型つま楊枝
２  基板
３  つま楊枝片
３ａ  つま楊枝片
４  軸部
５  掻き出し部
６  つまみ部
７  点連結部
８  切れ目
【図１】
0003158688.tif 000003
【図２】
0003158688.tif 000004
【図３】
0003158688.tif 000005
【図４】
0003158688.tif 000006